【手続補正書】
【提出日】平成16年9月13日(2004.9.13)
【手続補正１】
【補正対象書類名】特許請求の範囲
【補正対象項目名】全文
【補正方法】変更
【補正の内容】
【特許請求の範囲】
【請求項１】
第１の表面および対向する第２の表面を有する本体であって、少なくとも１つのチャネルが内部に形成されて本体を通って第１の表面から第２の表面へ延び、チャネルは、第１の表面で開口するリザーバ部分を有する、本体と、
第２の表面に沿って配置される少なくとも１つのノズルであって、ノズルはチャネルと流体連絡をして、チャネルの一端が、ノズルの一部として形成されるノズル開口部内で終了し、該デバイスは射出成形物品から形成される、ノズルと、を備える射出成形物品を備えるマイクロ流体デバイス。
【請求項２】
チャネルが少なくともその実質的な長さに沿って円筒形状をなし、チャネルはシームレスの円筒表面によって規定される請求項１に記載のマイクロ流体デバイス。
【請求項３】
チャネルは内側にテーパが付けられて、チャネルの寸法が、リザーバ部分内で最大、ノズル開口部で最小となっている請求項１に記載のマイクロ流体デバイス。
【請求項４】
チャネルが、第１および第２の表面の両方に対して実質的に垂直となるように、リザーバ部分において形成される請求項１に記載のマイクロ流体デバイス。
【請求項５】
少なくとも１つのノズルが、第２の表面を越えて延び、実質的に円錐形状である請求項１に記載のマイクロ流体デバイス。
【請求項６】
ノズルの外径が、約５０μｍ以下である請求項５に記載のマイクロ流体デバイス。
【請求項７】
ノズル開口部の外径が、約５０μｍ以下である請求項１に記載のマイクロ流体デバイス。
【請求項８】
ノズル内に形成されてノズル開口部内で終了するチャネルの一部が、ノズル開口部に向かって内側にテーパが付けられる請求項１に記載のマイクロ流体デバイス。
【請求項９】
少なくとも１つのチャネルと少なくとも１つのノズルとが、幾何学的アレイに配置される請求項１に記載のマイクロ流体デバイス。
【請求項１０】
第２の表面上の少なくとも１つのノズルの外周の周りに形成される導電性領域をさらに含む請求項１に記載のマイクロ流体デバイス。
【請求項１１】
導電性領域が、金属で形成されて、電気コンタクトに電気的に接続される請求項１０に記載のマイクロ流体デバイス。
【請求項１２】
チャネルが、内部チャネル表面が平行である第１の部分を有し、第１の部分は少なくとも部分的にリザーバ部分を規定しておよび第１の表面へ延び、チャネルはさらに、内部チャネル表面が非平行な関係にある第２の部分を有し、第２の部分は第１の部分からノズル開口部へ延びる請求項１に記載のマイクロ流体デバイス。
【請求項１３】
第１の表面および対向する第２の表面を有する本体であって、少なくとも１つのチャネルが内部に形成されて本体を通って第１の表面から第２の表面へ延び、チャネルは、サンプルを受け入れるために第１の表面で開口するリザーバ部分を有する、本体と、
本体と一体に形成されて、第２の表面に沿って配置されこの表面を越えて延びる少なくとも１つのノズルであって、該ノズルは事実上平行でない外面によって規定され、ノズルの数はチャネルの数に等しく、各ノズルはその結果形成されるチャネルの一部を有し、各チャネルがノズルのノズル開口部内で終了し、ノズル開口部の直径は約１００μｍ以下でありノズルの外径は約１５０μｍであり、該ノズルで形成されるチャネル部分は該ノズル開口部の形成と共にある一端で終了する、平行でない表面によって規定される、ノズルと、を備えるマイクロ流体デバイス。
【請求項１４】
ノズル開口部の直径が約１５０μｍ以下であり、ノズルの外径が約１００μｍ以下である請求項１３に記載のマイクロ流体デバイス。
【請求項１５】
リザーバ部分をシールするとともに、サンプルをリザーバ部分からチャネルを通して、サンプルが放出されるノズル開口部へ輸送するためのデバイスをさらに含む請求項１３に記載のマイクロ流体デバイス。
【請求項１６】
最初にリザーバ部分の開口端に渡って配置される変形可能な弾性ポリマー・カバー・シートの形のシールであって、該シールは前記第１の表面に、かつ該第1の表面に沿って取り付けられる、シールと、ポリマー・カバー・シートをはめ込むためのシャフトとを含み、
シャフトが延長位置へ駆動されると、ポリマー・カバー・シートは変形され、リザーバ部分の内面とともにシールを形成して、サンプルを強制的にノズル開口部の方へ流してそこでサンプルを放出する請求項１３に記載のマイクロ流体デバイス。
【請求項１７】
輸送デバイスが、変移可能な部材を備え、変移可能な部材は、周囲に変形可能なシールが延びるベースを含み、ベースは当初はリザーバ部分の開口端に渡って配置されてベースにシャフトが接続され、
シャフトが延長位置へ駆動されると、ベースはリザーバ部分内へ受け入れられて、フランジが、リザーバ部分の内面とともにシールを形成して、サンプルを強制的にノズル開口部の方へ流してそこでサンプルを放出する請求項１５に記載のマイクロ流体デバイス。
【請求項１８】
輸送デバイスが、内部を通って孔が形成される部材を備え、部材の末端部にガスケットが配置され、ガスケットは部材とリザーバ部分との間にシールを形成し、
部材は、リザーバ部分内に導入されてサンプルを強制的にノズル開口部の方へ流しそこでサンプルを放出する流体の供給源と連絡する請求項１５に記載のマイクロ流体デバイス。
【請求項１９】
本体と本体から外側へ延びる少なくとも１つのノズルとを備えるマイクロ流体デバイスであって、
本体内部には少なくとも１つのチャネルが形成されて、各チャネルは本体を通ってその第１の表面から第２の表面へ延び、
各チャネルは、サンプルを受け入れるために第１の表面で開口するリザーバ部分を有し、少なくとも１つのノズルは第２の表面から外側へ延び、
各ノズルは１つのチャネルと流体連絡をして、各チャネルが、ノズルの一部として形成されるノズル開口部内で終了し、
本体および少なくとも１つのノズルは、
チャネルと少なくとも１つのノズルとのネガティブ・インプレッションを含むモールドを用意するステップと、
ポリマー材料をモールド内に注入するステップと、
ポリマー材料を硬化させて、少なくとも１つのノズルが第２の表面から外側へ延びて少なくとも１つのチャネルが本体内に形成される本体を形成するステップと、
本体をモールドから取り外すステップと、を含むプロセスによって形成されるマイクロ流体デバイス。
【請求項２０】
モールドは、形成されたマイクロ流体デバイスのノズル開口部の直径が１００μｍ以下で、ノズルの外径が１５０μｍ以下となるように構成される請求項１９に記載のマイクロ流体デバイス。
【請求項２１】
モールドが、第１のダイと第２のダイとを含み、第１のダイは、このダイから外側へ延びる複数のピンを有し、複数のピンは、第２のダイに形成された開口部に受け入れられ、各開口部は、閉じた円錐形状の部分内で終了する請求項１９に記載のマイクロ流体デバイス。
【請求項２２】
ギャップ内の領域からポリマー材料がなくなるように、ポリマー樹脂の注入に使用される圧力を制御して、ノズル開口部を規定するステップをさらに含む請求項１９に記載のマイクロ流体デバイス。
【請求項２３】
少なくとも、ノズルの外面を規定するモールド部分の表面特性を変えて、この部分での表面摩擦を減らし、部分内での注入樹脂の流れ特性を向上させるステップをさらに含む請求項１９に記載のマイクロ流体デバイス。
【請求項２４】
サンプルの１つまたは複数の特性を検出するための検出システムであって、
第１の表面および対向する第２の表面を有する本体であって、少なくとも１つのチャネルが内部に形成されて本体を通って第１の表面から第２の表面へ延び、チャネルは、第１の表面で開口するリザーバ部分を有する、本体および
本体と一体に形成されて、第２の表面に沿って配置されこの表面を越えて延びる少なくとも１つのノズルであって、該ノズルは事実上平行でない外面によって規定され、ノズルの数はチャネルの数に等しく、各ノズルはその結果形成された該チャネルの一部を有し、各チャネルが、ノズルの一部として形成されるノズル開口部内で終了し、ノズル開口部の直径は約１００μｍ以下でありノズルの外径は約１５０μｍ以下であり、該ノズルで形成されたチャネル部分は該ノズル開口部の形成と共に一端で終了するテーパ状の内面によって規定されるノズル、を備える射出成形材料から形成される射出成形マイクロ流体デバイスと、
マイクロ流体デバイスからそのノズル開口部を通って放出されるサンプルを受け入れるための検出器であって、放出されたサンプルを分析してサンプルの１つまたは複数の特性に関する情報を提供する検出器と、を含む検出システム。
【請求項２５】
ナノスプレイ応用を行なうために質量分析計のインターフェースとなる装置であって、
第１の表面および対向する第２の表面を有する本体を含むマイクロ流体デバイスであって、本体内部には少なくとも１つのチャネルが形成されて本体を通って第１の表面から第２の表面へ延び、チャネルは、第１の表面で開口するリザーバ部分と第２の表面に沿って配置される少なくとも１つのノズルとを有し、ノズルはチャネルと流体連絡して、チャネルの一端が、ノズルの先端部の一部として形成されるノズル開口部内で終了する、マイクロ流体デバイスと、
マイクロ流体デバイスが確実に保持されるようにマイクロ流体デバイスの外周の周りに配置されるフレームと、
第１および第２の保持部材を有するホルダであって、第１および第２の保持部材は十分な間隔を置いて配置されフレームをこれらの部材の間に配置してこれらの部材によって所定の位置に保持することができ、保持位置では、サンプルを質量分析計の入口内にスプレイするための少なくとも１つのノズルが位置づけられるホルダと、を備える装置。
【請求項２６】
第1の表面と対向する第2の表面とを有する本体であって、該本体はそこで形成された少なくとも１つのチャネルを有し、かつ、該第1の表面から該第2の表面まで、該本体を通って延び、該チャネルは該第1の表面で開口しているリザーバ部分を有する、本体と、
第2の表面に沿って配置され、その結果形成される該チャネル長を有する少なくとも１つのノズルであって、それにより、該チャネルの一端が該ノズルの遠位端として形成されるノズル開口部で終了し、該デバイスは射出成形可能な材料から形成され、該ノズルで形成される該チャネル長が可変の直径を有する、少なくとも１つのノズルと
を含む射出成形物品を備える、マイクロ流体デバイス。